(57)【要約】【課題】ライセンス情報に基づいたコンテンツ利用の振舞いをコンテンツ利用組織内ポリシーとして設定し、コンテンツ利用組織に属する端末操作者全員にこれを適用させる。【解決手段】コンテンツを他人に利用させるべくライセンスを付与するライセンス配布サイトと、コンテンツ利用組織にて、各種ライセンス情報に対するコンテンツ利用の振舞いポリシーを設定する振舞いポリシー設定装置、あらかじめコンテンツ利用組織内に導入されているシングルサインオン装置やワークフローシステムと連動した、コンテンツ利用の管理を移譲するコンテンツ利用管理移譲装置を有するコンテンツ管理サーバ、コンテンツ閲覧の際、ライセンス情報を表すメタデータを解析し、作成されたポリシーに従い、ブラウザを制御するブラウザ制御装置を有したアドイン装置を設け、コンテンツの利用をコントロールする。【選択図】図１
2009237840.tif 000002
【特許請求の範囲】
【請求項１】
Ｗｅｂコンテンツを利用させるべくライセンスを付与するラインセンス配布サイトと、あらかじめ作成されたＷｅｂコンテンツ利用のためのポリシーを用いてコンテンツの利用をコントロールするコンテンツ利用組織とからなるコンテンツ管理システムであり、
前記ライセンス配布サイトには、
デファクトスタンダード化された各種ライセンス情報を保持するライセンス情報保持装置と、
コンテンツ作成者に対し、自身のコンテンツに付与するライセンス情報を選択させ、自身のコンテンツに埋め込むライセンス情報のメタデータを表示させるライセンス情報メタデータ表示装置と、
ライセンス情報を表すメタデータを作成するライセンス情報メタデータ作成装置と
を有するライセンス発行サーバを設け、
前記コンテンツ利用組織には、
各種ライセンス情報、コンテンツ利用の振舞い種別データ、コンテンツデータの情報を保持したＤＢサーバと、
各種ライセンス情報に対するコンテンツ利用の振舞いポリシーを設定する振舞いポリシー設定装置を有するコンテンツ管理サーバと
を設け、
前記コンテンツ利用組織内の各端末には、
端末操作者がコンテンツ閲覧の際、ライセンスを付与されているかを判断し、ライセンス情報を表すメタデータを解析し、前記ポリシー設定装置により設定されたポリシーに従い、ブラウザを制御するブラウザ制御装置
を設けたことを特徴とするコンテンツ管理システム
【請求項２】
請求項１に記載したコンテンツ管理システムであって、
前記コンテンツ管理サーバが、さらに、あらかじめコンテンツ利用組織内に導入されているシングルサインオン装置やワークフローシステムと連動した、コンテンツ利用の管理を移譲するコンテンツ利用管理移譲装置を有することを特徴とするコンテンツ管理システム
【請求項３】
請求項１または２のいずれか一つに記載したコンテンツ管理システムであって、
前記コンテンツ利用組織内の各端末に設けられるブラウザ制御装置は、各端末のブラウザ装置の拡張ツールであるアドインプログラムとして組み込まれるものであり、前記コンテンツ管理サーバは、必要に応じてそのアドインプログラムを当該端末に配布することを特徴とするコンテンツ管理システム
【発明の詳細な説明】
【技術分野】
【０００１】
本発明は、ライセンス情報を付与されたコンテンツの利用に関して、その付与されたライセンス情報に準じたコンテンツ利用をするためのシステムに関するものである。
【背景技術】
【０００２】
近年の社会経済において、知的財産権は非常に重要なものとなってきている。様々な著作物が知的財産権にて、保護されている。
インターネット上のコンテンツも同様であり、映画や音楽等のディジタルコンテンツの知的財産権を保護するために、配布されるコンテンツに対して、ライセンスを付与し、コンテンツを利用する際に、そのコンテンツに対応するライセンスをＰＣが取得していない場合、ＰＣはディジタルコンテンツの再生や複製することができないようにするシステムが存在する。
【０００３】
本発明に関連する公知技術文献としては特許文献１が挙げられる。特許文献１には、ライセンス取得装置及びライセンス取得方法が開示されている。具体的には、セキュアなライセンス取得処理は保持した上でライセンス取得処理を簡略化して容易にライセンス取得することの可能なライセンス取得装置及びライセンス取得方法を提供するものである。ライセンス取得装置は，ライセンス取得要求検知部と；セッションＩＤを生成するセッションＩＤ生成部と；保存先ＩＤと，ライセンス取得要求メッセージ送信部と；ライセンス取得回答メッセージ受信部と；メッセージの一回性保証を検証する検証部と；上記ライセンスを上記保存先ＩＤに従って記憶領域に保存させる保存部と；を備え，同じ取得セッション内では，ライセンス取得要求メッセージを１回送信し，上記ライセンス取得回答メッセージを１回受信するやりとりに限られる。
【特許文献１】特開２００７−６５９８５号公報
【発明の開示】
【発明が解決しようとする課題】
【０００４】
ところで、インターネット上にて知的財産権を保護されるのは画像や音楽等のディジタルコンテンツだけではない。Ｗｅｂページそのものも保護される対象物である。また、テキストファイルレベルのドキュメントも保護対象にあたる。
しかしながら、これらを保護するために、先に述べた背景技術を適用するには、コンテンツ利用者は、ライセンス取得装置など、別途自身のＰＣにインストールする必要があり、さらに、これらはコンテンツ毎に用意する必要がある。
【０００５】
また、インターネット上のすべてのコンテンツ（Ｗｅｂページ自体、テキストファイルレベルのドキュメントなど含む）には、ライセンス情報を明確に記載されていないものも存在するのが現状である。ライセンス情報が記載されている場合でも、コンテンツの利用にあたり、「非営利目的の使用のみ利用可能」など様々なライセンス形式が存在するのだが、先に述べた背景技術では、これら様々なライセンス種別に対して、コンテンツ利用の振舞いを定義することはできない。コンテンツ利用組織においては、各ライセンス種別に対するコンテンツ利用の振舞いをコンテンツ利用組織内ポリシーとして設定／運用する装置が求められる。
本発明の目的は、コンテンツ利用組織内において、ライセンス情報にもとづいたコンテンツ利用の振舞いをコンテンツ利用組織内ポリシーとして設定し、コンテンツの利用を行うコンテンツ利用組織に属する端末操作者全員にこれを適用させるコンテンツ管理システムを提供することにある。
【課題を解決するための手段】
【０００６】
上記目的を達成するために、本発明のコンテンツ管理システムは、Ｗｅｂコンテンツを利用させるべくライセンスを付与するラインセンス配布サイトと、あらかじめ作成されたＷｅｂコンテンツ利用のためのポリシーを用いてコンテンツの利用をコントロールするコンテンツ利用組織とからなるコンテンツ管理システムであり、前記ライセンス配布サイトには、デファクトスタンダード化された各種ライセンス情報を保持するライセンス情報保持装置と、コンテンツ作成者に対し、自身のコンテンツに付与するライセンス情報を選択させ、自身のコンテンツに埋め込むライセンス情報のメタデータを表示させるライセンス情報メタデータ表示装置と、ライセンス情報を表すメタデータを作成するライセンス情報メタデータ作成装置とを有するライセンス発行サーバを設け、前記コンテンツ利用組織には、各種ライセンス情報、コンテンツ利用の振舞い種別データ、コンテンツデータの情報を保持したＤＢサーバと、各種ライセンス情報に対するコンテンツ利用の振舞いポリシーを設定する振舞いポリシー設定装置を有するコンテンツ管理サーバとを設け、前記コンテンツ利用組織内の各端末には、端末操作者がコンテンツ閲覧の際、ライセンスを付与されているかを判断し、ライセンス情報を表すメタデータを解析し、前記ポリシー設定装置により設定されたポリシーに従い、ブラウザを制御するブラウザ制御装置を設けたものである。
【０００７】
請求項２に記載したコンテンツ管理システムは、請求項１に記載したコンテンツ管理システムであって、前記コンテンツ管理サーバが、さらに、あらかじめコンテンツ利用組織内に導入されているシングルサインオン装置やワークフローシステムと連動した、コンテンツ利用の管理を移譲するコンテンツ利用管理移譲装置を有する。
【０００８】
請求項３に記載したコンテンツ管理システムは、請求項１または２のいずれか一つに記載したコンテンツ管理システムであって、前記コンテンツ利用組織内の各端末に設けられるブラウザ制御装置は、各端末のブラウザ装置の拡張ツールであるアドインプログラムとして組み込まれるものであり、前記コンテンツ管理サーバは、必要に応じてそのアドインプログラムを当該端末に配布するものである。
【発明の効果】
【０００９】
以上のように、本発明のコンテンツ管理システムによれば、次のような効果がある。コンテンツ利用組織内において、ライセンス情報にもとづいたコンテンツ利用の振舞いをコンテンツ利用組織内ポリシーとして設定し、コンテンツの利用を行うコンテンツ利用組織に属する端末操作者全員にこれを適用させることができる。
【発明を実施するための最良の形態】
【００１０】
以下、本発明を適用した、ライセンスに基づくコンテンツ管理システムの一実施の形態について説明する。
【００１１】
図１は、本発明の実施の形態の一例を示すシステム構成図である。
【００１２】
ライセンスに基づくコンテンツ管理システムは、作成したコンテンツを公開するコンテンツ配布サイト１０１と、作成したコンテンツにライセンス付与させるためのラインセンス配布サイト１０２と、あらかじめ作成されたコンテンツ利用のためのポリシーを用いて、ライセンスが明確にされたコンテンツの利用をコントロールするシステムを有したコンテンツ利用組織１０３から構成される。ここで、「コンテンツ利用組織」とは、会社や団体など、その従業員（構成員）が所定の規律に従ってＷｅｂコンテンツを利用する場合のそのコンピュータネットワークからなるシステムをいう。そして、従業員（構成員）は、コンテンツ利用組織内の各端末を操作する操作者であるので、端末操作者として位置づけられる。
【００１３】
コンテンツ配布サイト１０１、ライセンス配布サイト１０２および、コンテンツ利用組織１０３はインターネット１０４に接続されており、Ｗｅｂを介してのコンテンツ閲覧などが可能な状態となっている。
【００１４】
コンテンツ配布サイト１０１にて、コンテンツ作成者１０５は、コンテンツを作成し、Ｗｅｂコンテンツ１０６としてインターネット１０４に公開する。公開するコンテンツには、Ｗｅｂページそのものはもちろん、ドキュメント・画像・動画などが含まれる。
【００１５】
ライセンス配布サイト１０２では、コンテンツに付与するライセンスが配布される。ライセンス配布サイト１０２は、ライセンス配布コンテンツ１０７および、ライセンス発行サーバ１０８にて構成される。自身が作成したコンテンツにライセンスを付与したい場合、ライセンス配布サイト１０２にて、各ライセンス種別から自身が付与したいライセンスを選択し、ライセンス情報を取得する。取得したライセンス情報を自身が作成したＷｅｂページに埋め込むことで、コンテンツにライセンス情報を付与させることができる。たとえば、Ｗｅｂコンテンツ１０６を作成した、コンテンツ作成者１０５は、インターネット１０４を介し、ライセンス配布サイト１０２に接続する。ライセンス配布コンテンツ１０７では、各ライセンス情報が表示されており、コンテンツ作成者１０５は、自身が付与したいライセンス情報を選択する。各ライセンス情報は、ライセンス発行サーバ１０８にて定義および管理されている。コンテンツ作成者１０５にて選択されたライセンス情報はライセンス発行サーバ１０８にて、メタデータ１０９として生成される。生成されたメタデータ１０９は、ライセンス配布コンテンツ１０７にて表示される。コンテンツ作成者１０５は、この表示されたメタデータ１０９をコピーし、自身のＷｅｂコンテンツ１０６に埋め込む。こうしてＷｅｂコンテンツ１０６は、コンテンツ作成者１０５が選択したライセンス情報を付与されたものとなる。
【００１６】
コンテンツ利用組織１０３では、ライセンス情報を付与されたＷｅｂコンテンツ１０６を、ライセンス条件に基づいて、コンテンツ利用組織内ポリシーの元、利用するシステムを有している。このシステムはブラウザのアドイン１１２、コンテンツ管理サーバ１１３、およびＤＢサーバ１１４から構成される。また、コンテンツ利用組織１０３は、シングルサインオンの装置は導入されており、同様にワークフローシステムも導入済みとされているものとする。なお、この明細書において、「装置」の語を用いる際には、コンピュータのハードウェアとソフトウェアとの協働により実現される装置を意味し、中央処理装置（ＣＰＵ）が必要なコンピュータプログラムを読み込んで実行することで実現されるものである。
【００１７】
コンテンツ利用組織１０３内のコンテンツ閲覧者１１０は、あらかじめ、自身のＰＣにインストールされているブラウザ１１０の拡張ツールであるアドイン１１２をインストールしておく。アドイン１１２は、ライセンス情報を付与されたＷｅｂコンテンツ１０６に埋め込まれたメタデータ１０９を解析し、コンテンツ利用組織内のポリシーにしたがって、コンテンツの制御を行う。
【００１８】
コンテンツ管理サーバ１１３では、ライセンス情報を付与されたコンテンツの制御を行うためのコンテンツ利用組織内ポリシーを設定する。コンテンツの制御には、表示する／しない、コピーを許可する／しない、および、コンテンツの管理をワークフローシステムと連動させる、などの制御方法が存在する。コンテンツ利用組織内ポリシーを企画立案する責任部署である法務部の担当者が用いる端末、法務部１１５はブラウザ１１６を利用して、コンテンツ管理サーバ１１３にアクセスし、コンテンツ利用組織内ポリシーの設定を行う。また、ワークフローシステムで管理されたコンテンツの利用に関して、利用可能、または利用不可能といった判断を行う。法務部１１５によって利用可能と判断されたコンテンツに関して、コンテンツ閲覧者１１０は、コンテンツ管理サーバ１１３にアクセスし、コンテンツを利用することができるようになる。
【００１９】
ＤＢサーバ１１４では、コンテンツ管理サーバ１１３で利用するライセンス種別や、ポリシー種別、コンテンツ利用組織内ポリシー、またコンテンツデータなどが管理される。
【００２０】
図２は、ライセンス発行サーバ１０８の構成図である。ライセンス発行サーバ１０８は、コンテンツ作成者１０５にて作成されたＷｅｂコンテンツ１０６にライセンス情報が記述されたメタデータ１０９を付与させるためのサーバである。
【００２１】
ライセンス発行サーバ１０８は、ライセンス情報部２０１、コンテンツ部２０２および、メタデータ生成部２０３より構成される。
【００２２】
ライセンス情報部２０１では、各種ライセンスの情報を保持している。
【００２３】
コンテンツ部２０２では、コンテンツ作成者１０５が付与したいライセンスを選択するためのライセンス配布コンテンツ１０７を有している。
【００２４】
メタデータ生成部２０３は、コンテンツ部２０３にて有するライセンス配布コンテンツ１０７にて、コンテンツ作成者１０５が選択したライセンス情報から、メタデータを作成する装置を有している。
【００２５】
図３は、ライセンス情報２０１にて、保持されるライセンス情報のデータ３０１である。各ライセンス情報は、デファクトスタンダートとなっているものとする。ライセンス発行サーバ１０８で所持するライセンス情報のデータ形式はＸＭＬ形式にて定義されている。各ライセンス情報の名称および、意味は以下の通りである。
・ 営利‐営利目的でのコンテンツ利用を認める
・ 非営利‐非営利目的に限ってそのコンテンツの利用を認める
・ 改変‐コンテンツの改変を認める
・ 改変禁止‐コンテンツの改編を認める
・ 複製‐コンテンツの複製を認める
・ 複製禁止‐コンテンツの複製を認めない
・ ２次配布‐コンテンツの2次配布を認める
・ ２次配布禁止‐コンテンツの2次配布を認めない
・ 回数指定‐限られた回数にてコンテンツ利用を認める
・ 課金‐コンテンツ利用に際して、課金を行う
【００２６】
図４はライセンス配布コンテンツ１０７である。コンテンツ作成者１０５は、ライセンス配布コンテンツ１０７にて各ライセンス情報を選択し、メタデータ１０９を取得する。ライセンス配布コンテンツ１０７はライセンス選択部４０１、メタデータ表示部４０２から構成される。
【００２７】
コンテンツ作成者１０５は、ライセンス選択部４０１にて、自身が作成したＷｅｂコンテンツ１０６に付与したいライセンス情報を選択する。
【００２８】
ライセンス選択部４０１にて、ライセンス情報を選択すると、メタデータ表示部４０２にメタデータ１０９が表示される。この際、メタデータ生成部２０３は、ライセンス選択部４０１にて選択された情報と、ライセンス情報部２０１に格納されたライセンス情報データ３０１から、メタデータ１０９を生成する。コンテンツ作成者１０５は、メタデータ表示部４０２にて表示されたメタデータ１０９をコピーし、自身が作成したＷｅｂコンテンツ１０６のソースコードにコピーしたメタデータ１０９を埋め込む。この際、Ｗｅｂコンテンツ１０６は、メタデータ１０９を埋め込めるよう、ＸＨＴＭＬ形式で作成される必要がある。
【００２９】
図５は、メタデータ１０９を詳細化したものである。メタデータ詳細５０１は、ＲＤＦにより、表現され、メタデータ生成部２０３にて生成される。各ライセンス情報の有無がＴｒｕｅ、Ｆａｌｓｅにて記述されている。
【００３０】
図６は、コンテンツ管理サーバ１１３の構成図である。コンテンツ管理サーバ１１３はＤＢサーバ１１４とデータ連携を行い、コンテンツの管理を行う。コンテンツ管理サーバ１１３は以下の装置を有する。
・ コンテンツ管理のおけるコンテンツ利用組織内ポリシーの設定
・ 設定されたコンテンツ利用組織内ポリシーのアドイン１１２への送信
・ ワークフローシステムと連動した、コンテンツ利用のジャッジ
・ ワークフローシステムにて管理されたコンテンツの利用
【００３１】
コンテンツ管理サーバ１１３は、ＤＢサーバ連携部６０１、コンテンツ部６０２、ポリシーデータ作成部６０６、ポリシーデータ格納部６０７、ポリシーデータ送信部６０８、コンテンツデータ受信部６０９および、ワークフローシステム連携部６１０から構成される。
【００３２】
ＤＢサーバ連携部６０１にて、コンテンツ管理サーバ１１３はＤＢサーバ１１４とデータの連携を行う。
【００３３】
コンテンツ部６０２は、ポリシー設定コンテンツ６０３、承認者コンテンツ６０４、利用者コンテンツ６０５にて構成される。
【００３４】
ポリシー設定コンテンツ６０３では、コンテンツ管理に関するコンテンツ利用組織内ポリシーを設定する。本システムの運用開始時に、あらかじめ、法務部１１５は、コンテンツに付与される各ライセンスに対するコンテンツ利用組織ポリシーを設定する。ポリシー設定コンテンツ６０３に表示されるライセンス情報などのデータは、ＤＢサーバ連携部６０１を通して、ＤＢサーバ１１４からデータを取得する。
【００３５】
承認者コンテンツ６０４では、ワークフローシステムと連携したコンテンツの管理を行う際、コンテンツ閲覧者１１０はワークフローシステムにて法務部１１５にコンテンツ利用に関する是非を問う。法務部１１５はコンテンツの利用に関して、承認または却下の判断を行う。
【００３６】
承認者コンテンツ６０４にてコンテンツ利用の承認を受けたコンテンツはワークフローシステムの管理下のもと、利用者コンテンツ６０５から利用可能となる。コンテンツ閲覧者１１０は、利用者コンテンツ６０５にアクセスし、承認されたコンテンツを利用する。
【００３７】
ポリシーデータ作成部６０６は、ポリシー設定コンテンツ６０３にて、設定された情報をもとに、ＸＭＬ形式のポリシーデータを作成する。ポリシーデータ作成部６０６は、ＤＢサーバ連携部６０１を通して、ＤＢサーバ１１４からポリシーデータの作成に必要なデータを取得する。
【００３８】
ポリシーデータ作成部６０６にて作成されたポリシーデータは、ポリシーデータ格納部６０７にて、格納される。
【００３９】
ポリシーデータ送信部６０８は、コンテンツ閲覧者１１０が利用する、ブラウザ１１１の拡張ツールであるアドイン１１２に対し、ポリシーデータ格納部６０７に格納されたポリシーデータを送信する。
【００４０】
コンテンツデータ受信部６０９は、ブラウザ１１１に組み込まれたアドイン１１２にて、コンテンツデータがワークフローシステムに移譲される際、コンテンツに関する情報を受信する。
【００４１】
ワークフローシステム連携部６１０にて、コンテンツ利用組織１０３に導入済みである、ワークフローシステムとデータのやり取りなど、連携を行う。
【００４２】
図７は、ポリシー設定コンテンツ６０３の画面構成図である。法務部１１５は、ポリシー設定コンテンツ６０３の画面にて、ライセンスを付与されたコンテンツに関するコンテンツ利用組織内ポリシーを設定する。ポリシー設定コンテンツ６０３は、ポリシー設定ボタン７０１、ポリシー追加部７０２、作成済みポリシー一覧７０３から構成される。
【００４３】
ポリシー設定ボタン７０１にて、設定したポリシー内容を確定させる。ポリシー設定ボタン７０１を押下すると、ポリシー作成部６０６によって、ポリシーデータが作成される。
【００４４】
ポリシー追加部７０２にて、ポリシーの追加を行う。ポリシー追加部７０２には、ポリシー種別(＝コンテンツの振舞い)を選択するプルダウンメニューと、先に述べた、各種ライセンス情報の有無を選択するチェックボタンで構成される。法務部１１５は、コンテンツ利用組織内ポリシーとして設定したいライセンスにチェックを入れ、該当するライセンスの場合、そのコンテンツのポリシー種別(＝コンテンツの振舞い)をプルダウンメニューから選択する。選択後、追加ボタンを押下する。
【００４５】
ポリシー追加部７０２にて、追加ボタンを押下すると、作成済みポリシー一覧７０３に追加される。作成されたポリシーを削除する際は、削除ボタンを押下する。
【００４６】
図８は、ＤＢサーバ１１４に格納されているライセンス種別テーブル８０１である。ライセンス種別テーブル８０１には、先に述べた、各種ライセンス情報が格納されている。ライセンス種別テーブル８０１は、ｉｄフィールド８０２、ｌｉｃｅｎｓｅフィールド８０３、ｌｉｃｅｎｓｅ＿ｊａフィールド３０４、ｎｏｔｅフィールド８０５から構成される。
【００４７】
ｉｄフィールド８０２は、主キーである。
ｌｉｃｅｎｓｅフィールド８０３には、ライセンス名を英語表記したものを格納する。
ｌｉｃｅｎｓｅ＿ｊａフィールド８０４には、ライセンス名を日本語表記したものを格納する。
ｎｏｔｅフィールド８０５には、ライセンスの説明を格納する。
【００４８】
図９は、ＤＢサーバ１１４に格納されているポリシー種別テーブル９０１である。ポリシー種別テーブル９０１には、コンテンツの振舞いに関する情報が格納されている。
ポリシー種別テーブル９０１は、ｉｄフィールド９０２、ｐｏｌｉｃｙフィールド９０３、ｐｏｌｉｃｙ＿ｊａフィールド９０４から構成される。コンテンツの振舞いを記した、ポリシー種別および、意味は以下の通りである。
・ コピー禁止‐閲覧者はコンテンツをコピーすることができない。
・ 表示禁止‐閲覧者はコンテンツを表示させることができない。
・ フロー制御‐閲覧者はコンテンツの利用に際して、ワークフローシステムを利用して利用することに関しての是非を問わなければならない。
ｉｄフィールド９０２は、主キーである。
ｐｏｌｉｃｙフィールド９０３には、コンテンツの振舞いを記した、ポリシー種別が英語表記で格納されている。
ｐｏｌｉｃｙ＿ｊａフィールド９０４には、コンテンツの振舞いを記した、ポリシー種別が日本語表記で格納されている。
【００４９】
図１０は、ポリシーデータ作成部６０６にて作成される、ポリシーデータである。ポリシーデータはＸＭＬ形式で作成される。ポリシーデータスキーマ１００１にて、ポリシーデータの定義を行っている。
ｅｌｅｍｅｎｔ要素（Ｉｄ）１００２では、ポリシーを一意に管理するようにする、ポリシーデータ作成部６０６にて一意にデータを作成するようにし、これを格納するようにする。
ｅｌｅｍｅｎｔ要素（ＰｏｌｉｃｙＫｉｎｄ）１００３には、ＤＢサーバ１１４に格納されているポリシー種別テーブル９０１のｉｄフィールド９０２が入力される。
ｅｌｅｍｅｎｔ要素（ＬｉｃｅｎｓｅＫｉｎｄ）１００４には、ＤＢサーバ１１４に格納されているライセンス種別テーブル８０１のｉｄフィールド８０２が入力される。また、ｅｌｅｍｅｎｔ要素（ＬｉｃｅｎｓｅＫｉｎｄ）１００４は、一意のｅｌｅｍｅｎｔ要素（Ｉｄ）１００２に対し、1つ以上格納することが可能である。
ポリシーデータスキーマ１００１にて定義した通り、ポリシーデータ作成部６０６は、ポリシーデータ１００５を作成する。
【００５０】
図１１は、アドイン１１２の構成図である。アドイン１１２は、ブラウザ１１１を拡張するためのツールである。コンテンツ利用組織１０３に所属する端末操作者すべて、あらかじめ自身のＰＣにインストールしておく必要がある。アドイン１１２は、ポリシーデータ受信部１１０１、ポリシーデータ格納部１１０２、メタデータ解析部１１０３、ブラウザ制御部１１０４および、コンテンツデータ送信部１１０５から構成される。
【００５１】
ポリシーデータ受信部１１０１では、コンテンツ管理サーバ１１３より、ポリシーデータ１００５を受信する。コンテンツ利用組織１０３に属するコンテンツ閲覧者１１０は、アドイン１１２がインストールされたブラウザ１１１および、コンテンツ利用組織１０３に導入済みである、シングルサインオンの装置により、社内システムにログインした際、コンテンツ管理サーバ１１３のポリシーデータ送信部６０８より、ポリシーデータ１００５を受信する。また、シングルサインオンにてＨＴＴＰヘッダには、コンテンツ閲覧者１１０の端末操作者番号が書き込まれている。
【００５２】
ポリシーデータ格納部１１０２では、ポリシーデータ受信部１１０１にて受信したポリシーデータ１００５を格納する。
【００５３】
メタデータ解析部１１０３では、Ｗｅｂコンテンツ１０６に埋め込まれたメタデータ１０９を解析する装置を有する。コンテンツ利用組織１０３に属するコンテンツ閲覧者１１０は、アドイン１１２がインストールされたブラウザ１１１にて、メタデータ１０９が埋め込まれたＷｅｂコンテンツ１０６を閲覧する。メタデータ解析部１１０３は、Ｗｅｂコンテンツ１０６を解析し、メタデータ１０９の有無を判断する。メタデータ１０９が存在しない場合、ライセンス情報は付与されていないと判断する。メタデータ１０９が存在する場合、ライセンス情報が付与されていると判断し、ＲＤＦ形式で表現されたメタデータ詳細５０１を解析する。
【００５４】
ブラウザ制御部１１０４では、メタデータ解析部１１０３にて行った解析結果と、ポリシーデータ格納部１１０２に格納されたポリシーデータ１００５から、ブラウザの制御を行う。ブラウザ制御部１１０４では、コンテンツの表示／非表示、コピーの抑止、および、ワークフローシステムへのコンテンツデータ移譲を行う。
コンテンツデータ送信部１１０５では、ブラウザ制御部１１０４にて、ワークフローシステムへのコンテンツデータの管理移譲を行った際、コンテンツデータに関する情報をコンテンツ管理サーバ１１３のコンテンツデータ受信部６０９に対して送信する。
【００５５】
図１２は、アドイン１１２による、コンテンツデータの制御フロー図である。以下、各ステップについて記述する。
ステップ１２０１にて、Ｗｅｂコンテンツ１０６の読み込みを行う。
ステップ１２０２にて、Ｗｅｂコンテンツ１０６にメタデータ１０９が埋め込まれているか判断を行う。
ステップ１２０２にて、Ｗｅｂコンテンツ１０６にメタデータ１０９が埋め込まれていない場合、ステップ１２０３にて、コンテンツデータの表示および、ダウンロードが可能なように、ブラウザを制御する。
ステップ１２０２にて、Ｗｅｂコンテンツ１０６にメタデータ１０９が埋め込まれていた場合、ステップ１２０４にて、メタデータの解析を行う。
ステップ１２０５にて、ポリシーデータとステップ１２０４に行った解析結果を比較する。
ステップ１２０６にて、解析結果がポリシーデータと一致しなかった場合、ステップ１２０３にて、コンテンツデータの表示および、ダウンロードが可能なように、ブラウザを制御する。
ステップ１２０６にて、解析結果がポリシーデータと一致し、かつ、ポリシー種別が、コピー禁止だった場合、ステップ１２０７にて、コンテンツデータをコピーできないように、ブラウザを制御する。
ステップ１２０６にて、解析結果がポリシーデータと一致し、かつ、ポリシー種別が、表示禁止だった場合、ステップ１２０８にて、コンテンツデータを表示できないように、ブラウザを制御する。
ステップ１２０６にて、解析結果がポリシーデータと一糸し、かつ、ポリシー種別が、ワークフロー制御だった場合、ステップ１２０９にて、ワークフローシステムにコンテンツデータの管理を移譲する。
【００５６】
図１３は、アドイン１１２による、コンテンツデータの制御において、コンテンツデータの管理をワークフローシステムに移譲する際のフォーム、コンテンツアップロードフォーム１３０１である。コンテンツ閲覧者１１０は自身が利用しているブラウザ１１１を右クリックすると、ブラウザ制御部１１０４によって、コンテンツアップロードフォーム１３０１が自動的に起動する。コンテンツアップロードフォーム１３０１は、ワークフロー対象ＵＲＬ入力ボックス１３０２、コンテンツタイプ選択プルダウンメニュー１３０３、使用理由入力ボックス１３０４、端末操作者番号入力ボックス１３０５、登録ボタン１３０６および、キャンセルボタン１３０７から構成される。
【００５７】
ワークフロー対象ＵＲＬ入力ボックス１３０２には、管理を移譲するコンテンツデータのＵＲＬを指定する。ＵＲＬ入力ボックス１３０２には、ＵＲＬを直接手入力してもかまわないが、規定では、コンテンツデータ上で右クリックした際に、ブラウザ制御部１１０４がＵＲＬを自動的に抽出し、ワークフロー対象ＵＲＬ入力ボックス１３０２にＵＲＬが入力される。
【００５８】
コンテンツタイプ選択プルダウンメニュー１３０３では、管理を移譲するコンテンツデータの種類を選択する。
【００５９】
使用理由入力ボックス１３０４では、コンテンツデータの利用目的を入力する。
端末操作者番号入力ボックス１３０５では、コンテンツデータ管理の移譲依頼主の端末操作者番号を入力する。端末操作者番号入力ボックス１３０５には、直接手入力してもかまわないが、規定では、シングルサインオンの装置を利用してサインオンした際の端末操作者番号が自動的に入力される。
登録ボタン１３０６を押下すると、コンテンツデータに関する情報がコンテンツデータ送信部１１０５にて送信される。
キャンセルボタン１３０７押下時、コンテンツアップロードフォーム１３０１は閉じられる。
【００６０】
図１４は、ＤＢサーバ１１４に格納されているコンテンツタイプテーブル１４０１である。コンテンツタイプテーブル１４０１には、アドイン１１２による、コンテンツデータの制御において、コンテンツデータの管理をワークフローシステムに移譲する際に登録するコンテンツの種別が格納されている。コンテンツタイプテーブル１４０１は、ｉｄフィールド１４０２、ｃｏｎｔｅｎｔ＿ｔｙｐｅフィールド１４０３および、ｃｏｎｔｅｎｔ＿ｔｙｐｅ＿ｊａフィールド１４０４から構成される。コンテンツの種別およびその説明は以下の通りである。
・ ドキュメント‐ドキュメント類を指す。
・ 画像‐画像データを指す。
・ ビデオ‐ストーリミングなど、動画データを指す。
ｉｄフィールド１４０２は、主キーである。
ｃｏｎｔｅｎｔ＿ｔｙｐｅ１４０３フィールドには、コンテンツ種別の英語表記が格納されている。
ｃｏｎｔｅｎｔ＿ｔｙｐｅ＿ｊａフィールド１４０４には、コンテンツ種別の日本語表記が格納されている。
【００６１】
図１５は、ＤＢサーバ１１４に格納されているコンテンツデータテーブル１５０１である。コンテンツデータテーブル１５０１には、アドイン１１２による、コンテンツデータの制御において、コンテンツデータの管理をワークフローシステムに移譲したコンテンツデータに関する情報が格納されている。コンテンツデータテーブル１５０１は、ｉｄフィールド１５０２、ｃｏｎｔｅｎｔ＿ｐａｔｈフィールド１５０３、ｅｍｐ＿ｎｕｍフィールド１５０４、ｇｅｔ＿ｄａｔｅフィールド１５０５、ｐｏｌｉｃｙ＿ｉｄフィールド１５０６、ｃｏｎｔｅｎｔ＿ｔｙｐｅフィールド１５０７、ｕｓｅ＿ｃｏｕｎｔフィールド１５０８、ｒｅａｓｏｎフィールド１５０９、ａｃｃｅｐｔａｔｉｏｎフィールド１５１０、ｊｕｄｇｅ＿ｒｅａｓｏｎフィールド１５１１および、ｄｅｌ＿ｆｌｇフィールド１５１２から構成される。
【００６２】
ｉｄフィールド１５０２は、主キーである。
ｃｏｎｔｅｎｔ＿ｐａｔｈフィールド１５０３には、移譲されたコンテンツデータのＵＲＬが格納されている。
ｅｍｐ＿ｎｕｍフィールド１５０４には、コンテンツデータを移譲した者の端末操作者番号が格納されている。
ｇｅｔ＿ｄａｔｅフィールド１５０５には、コンテンツデータを移譲した日付が入力されている。
ｐｏｌｉｃｙ＿ｉｄフィールド１５０６には、ＤＢサーバ１１４に格納されているポリシー種別テーブル９０１のｉｄフィールド９０２が入力されている。
ｃｏｎｔｅｎｔ＿ｔｙｐｅフィールド１５０７には、ＤＢサーバ１１４に格納されているコンテンツタイプテーブル１４０１のｉｄフィールド１４０２が入力されている。
ｕｓｅ＿ｃｏｕｎｔフィールド１５０８には、ライセンス条件として利用回数が制限されている場合に限り、その利用回数が入力される。規定値は−１である。
【００６３】
ｒｅａｓｏｎフィールド１５０９には、アドイン１１２による、コンテンツデータの制御において、コンテンツデータの管理をワークフローシステムに移譲する際に、コンテンツアップロードフォーム１３０１にて、使用理由入力ボックス１３０４に入力した内容が格納されている。
ａｃｃｅｐｔａｔｉｏｎフィールド１５１０には、該当コンテンツデータが利用できるか否かのデータが格納される。規定では、データ入力がされておらず、法務部１１５がコンテンツデータの利用を許可(＝承認)した場合、ｔｒｕｅが、コンテンツデータの利用を許可しない(＝却下)した場合、ｆａｌｓｅが、格納される。
ｊｕｄｇｅ＿ｒｅａｓｏｎフィールド１５１１には、コンテンツデータの利用についての判断理由が格納される。
ｄｅｌ＿ｆｌｇフィールド１５１２には、コンテンツデータを利用者コンテンツ６０５にて表示させるか否かの情報が格納される。表示させる場合は、ｆａｌｓｅ、表示しない場合は、ｔｒｕｅが格納される。
【００６４】
図１６は、アドイン１１２による、コンテンツデータの制御において、コンテンツデータの管理をワークフローシステムに移譲した際、法務部１１５がコンテンツデータの利用を判断するための、承認者コンテンツ６０４である。承認者コンテンツ６０４は、＃フィールド１６０１、端末操作者番号フィールド１６０２、コンテンツフィールド１６０３、コンテンツタイプフィールド１６０４、ステータスフィールド１６０５、プレビューフィールド１６０６、ライセンスフィールド１６０７、使用理由フィールド１６０８、承認フィールド１６０９および、理由フィールド１６１０から構成される。
【００６５】
＃フィールド１６０１には、コンテンツデータの一意の番号が表示される。ＤＢサーバ１１４に格納されているコンテンツデータテーブル１５０１のｉｄフィールド１５０２に相当する。
【００６６】
端末操作者番号フィールド１６０２には、コンテンツデータの移譲を行った者の端末操作者番号が表示される。ＤＢサーバ１１４に格納されているコンテンツデータテーブル１５０１のｅｍｐ＿ｎｕｍフィールド１５０４に相当する。
【００６７】
コンテンツフィールド１６０３には、コンテンツのデータが表示される。ＤＢサーバ１１４に格納されているコンテンツデータテーブル１５０１のｃｏｎｔｅｎｔ＿ｐａｔｈフィールド１５０３が相当し、画像などは、自動的に画像をダウンロードして、縮小版をコンテンツフィールド１６０３に表示する。
【００６８】
コンテンツタイプフィールド１６０４には、先に述べた、コンテンツの種類が表示される。ＤＢサーバ１１４に格納されているコンテンツデータテーブル１５０１のｃｏｎｔｅｎｔ＿ｔｙｐｅフィールド１５０７と、ＤＢサーバ１１４に格納されているコンテンツタイプテーブル１４０１のｉｄフィールド１４０２を連結した際の、ｃｏｎｔｅｎｔ＿ｔｙｐｅ＿ｊａフィールド１４０４に相当する。
【００６９】
ステータスフィールド１６０５には、該当するコンテンツデータのワークフローシステムでの状況を確認するためのＷｅｂページへのリンクが張られている。
【００７０】
プレビューフィールド１６０６では、該当するコンテンツデータの実データを参照することができる。ボタン押下時、別ウィンドが開き、コンテンツデータを確認することができる。
【００７１】
ライセンスフィールド１６０７では、該当するコンテンツデータに付与されたライセンス情報が表示される。ＤＢサーバ１１４に格納されているコンテンツデータテーブル１５０１のｐｏｌｉｃｙ＿ｉｄフィールド１５０６、ＤＢサーバ１１４に格納されているライセンス種別テーブル８０１および、コンテンツ管理サーバ１１３内のポリシーデータ格納部６０７に格納されたポリシーデータ１００５に相当する。
【００７２】
使用理由フィールド１６０８では、コンテンツデータの移譲を行った者のコンテンツデータを利用したい理由が表示される。ＤＢサーバ１１４に格納されているコンテンツデータテーブル１５０１のｒｅａｓｏｎフィールド１５０９に相当する。
【００７３】
承認フィールド１６０９では、コンテンツデータの利用を認めるか否かを行う。承認または、却下した際のデータは、ＤＢサーバ１１４に格納されているコンテンツデータテーブル１５０１のａｃｃｅｐｔａｔｉｏｎフィールド１５１０に、データが格納される。また、コンテンツ管理サーバ１１３内のワークフローシステム連携部６１０を通して、データがワークフローシステム送信される。
【００７４】
理由フィールド１６１０では、ンテンツデータの利用についての判断理由が表示される。ＤＢサーバ１１４に格納されているコンテンツデータテーブル１５０１のｊｕｄｇｅ＿ｒｅａｓｏｎフィールド１５１１に相当する。
【００７５】
図１７は、該当コンテンツデータのワークフローシステムでの状況を示す承認者コンテンツ６０４の一部である。法務部１１５は、承認者コンテンツ６０４にて、ステータスフィールド１６０５のリンクをクリックすることで、履歴を参照することができる。
【００７６】
ステータス履歴部１７０１は、該当コンンテンツデータがワークフローシステムでの履歴を示すものである。ステータス履歴部１７０１には、コンテンツ管理サーバ１１３内のワークフローシステム連携部６１０を通して履歴データが表示される。
【００７７】
図１８は、アドイン１１２による、コンテンツデータの制御において、コンテンツデータの管理をワークフローシステムに移譲した際、コンテンツ閲覧者１１０がコンテンツデータを利用するための、利用者コンテンツ６０５である。コンテンツ閲覧者１１０が利用者コンテンツ６０５アクセスした際には、シングルサインオンの装置によって、アクセスしたコンテンツ閲覧者１１０が利用しようとしている、コンテンツデータのみ表示される。利用者コンテンツ６０５は、＃フィールド１８０１、コンテンツフィールド１８０３、ライセンスタイプフィールド１８０４、ステータスフィールド１８０５、プレビュー１８０６、ダウンロードフィールド１８０７または、削除フィールド１８０８から構成される。
【００７８】
＃フィールド１８０１には、利用者コンテンツ６０５に表示されるコンテンツデータを識別できるよう、一意の番号が表示される。
【００７９】
コンテンツフィールド１８０２には、コンテンツのデータが表示される。ＤＢサーバ１１４に格納されているコンテンツデータテーブル１５０１のｃｏｎｔｅｎｔ＿ｐａｔｈフィールド１５０３が相当し、画像などは、自動的に画像をダウンロードして、縮小版をコンテンツフィールド１８０２に表示する。
【００８０】
コンテンツタイプフィールド１８０３には、先に述べた、コンテンツの種類が表示される。ＤＢサーバ１１４に格納されているコンテンツデータテーブル１５０１のｃｏｎｔｅｎｔ＿ｔｙｐｅフィールド１５０７と、ＤＢサーバ１１４に格納されているコンテンツタイプテーブル１４０１のｉｄフィールド１４０２を連結した際の、ｃｏｎｔｅｎｔ＿ｔｙｐｅ＿ｊａフィールド１４０４に相当する。
【００８１】
ライセンスタイプフィールド１８０４では、該当するコンテンツデータに付与されたライセンス情報が表示される。ＤＢサーバ１１４に格納されているコンテンツデータテーブル１５０１のｐｏｌｉｃｙ＿ｉｄフィールド１５０６、ＤＢサーバ１１４に格納されているライセンス種別テーブル８０１および、コンテンツ管理サーバ１１３内のポリシーデータ格納部６０７に格納されたポリシーデータ１００５に相当する。
【００８２】
ステータスフィールド１８０５には、該当するコンテンツデータのワークフローシステムでの状況を確認するためのＷｅｂページへのリンクが張られている。
【００８３】
プレビューフィールド１８０６では、該当するコンテンツデータの実データを参照することができる。ボタン押下時、別ウィンドが開き、コンテンツデータを確認することができる。法務部１１５によって、該当コンテンツデータの利用を却下された場合、プレビューフィールド１８０６のボタンは非活性となり、コンテンツデータを参照することはできない。
【００８４】
ダウンロードフィールド１８０７では、コンテンツをダウンロードすることが可能となっている。ダウンロードフィールド１８０７のボタン押下時、ＤＢサーバ１１４に格納されているコンテンツデータテーブル１５０１のｃｏｎｔｅｎｔ＿ｐａｔｈフィールド１５０３に格納されたＵＲＬにアクセスし、ダウンロードができる。務部１１５によって、該当コンテンツデータの利用を却下された場合、ボタンは非活性となり、コンテンツデータをダウンロードすることはできない。
【００８５】
削除フィールド１８０８では、該当するコンテンツデータを削除することができる。削除フィールド１８０８のボタン押下時、該当コンテンツデータが削除される。事実上はＤＢサーバ１１４に格納されているコンテンツデータテーブル１５０１からレコードは削除されずに、コンテンツデータテーブル１５０１のｄｅｌ＿ｆｌｇフィールド１５１２にデータが格納される。
【００８６】
図１９は、該当コンテンツデータのワークフローシステムでの状況を示す利用者コンテンツ６０５の一部である。コンテンツ閲覧者１１０は、利用者コンテンツ６０５にて、ステータスフィールド１８０５のリンクをクリックすることで、履歴を参照することができる。
【００８７】
ステータス履歴部１９０１は、該当コンンテンツデータがワークフローシステムでの履歴を示すものである。ステータス履歴部１９０１には、コンテンツ管理サーバ１１３内のワークフローシステム連携部６１０を通して履歴データが表示される。
【産業上の利用可能性】
【００８８】
会社、団体などのコンテンツ利用組織ごとに、Ｗｅｂコンテンツに絡む著作権などのライセンス管理を適切に実行することができる。ライセンス提供側にも、ライセンス利用側にも有益なシステムを提供することができる。
【図面の簡単な説明】
【００８９】
【図１】本発明の一実施の形態例を示すシステム構成図である。
【図２】ライセンス発行サーバの構成図である。
【図３】保持されるライセンス情報のデータである。
【図４】ライセンス配布コンテンツである。
【図５】メタデータを詳細化したものである。
【図６】コンテンツ管理サーバの構成図である。
【図７】ポリシー設定コンテンツの画面構成図である。
【図８】ＤＢサーバに格納されているライセンス種別テーブルである。
【図９】ＤＢサーバに格納されているポリシー種別テーブルである。
【図１０】ポリシーデータ作成部にて作成される、ポリシーデータである。
【図１１】アドインの構成図である。
【図１２】アドインによる、コンテンツデータの制御フロー図である。
【図１３】コンテンツデータの管理をワークフローシステムに移譲する際のフォームである。
【図１４】ＤＢサーバに格納されているコンテンツタイプテーブルである。
【図１５】ＤＢサーバに格納されているコンテンツデータテーブルである。
【図１６】コンテンツデータの利用を判断するための、承認者コンテンツである。
【図１７】該当コンテンツデータのワークフローシステムでの状況を示す承認者コンテンツの一部である。
【図１８】コンテンツデータを利用するための、利用者コンテンツである。
【図１９】該当コンテンツデータのワークフローシステムでの状況を示す利用者コンテンツの一部である。
【符号の説明】
【００９０】
１０１  コンテンツ配布サイト
１０２  ライセンス配布サイト
１０３  コンテンツ利用組織
１０４  インターネット
１０５  コンテンツ作成者
１０６  Ｗｅｂコンテンツ
１０７  ライセンス配布コンテンツ
１０８  ライセンス発行サーバ
１０９  メタデータ
１１０  コンテンツ閲覧者
１１１  ブラウザ
１１２  アドイン
１１３  コンテンツ管理サーバ
１１４  ＤＢサーバ
１１５  法務部
１１６  ブラウザ
２０１  ライセンス情報部
２０２  コンテンツ部
２０３  メタデータ生成部
３０１  ライセンス情報データ
４０１  ライセンス選択部
４０２  メタデータ表示部
５０１  メタデータ詳細
６０１  ＤＢサーバ連携部
６０２  コンテンツ部
６０３  ポリシー設定コンテンツ
６０４  承認者コンテンツ
６０５  利用者コンテンツ
６０６  ポリシーデータ作成部
６０７  ポリシーデータ格納部
６０８  ポリシーデータ送信部
６０９  コンテンツデータ受信部
６１０  ワークフローシステム連携部
７０１  ポリシー設定ボタン
７０２  ポリシー追加部
７０３  作成済みポリシー一覧
８０１  ライセンス種別テーブル
８０２  ｉｄフィールド
８０３  ｌｉｃｅｎｓｅフィールド
８０４  ｌｉｃｅｎｓｅ＿ｊａフィールド
８０４  ｎｏｔｅ
９０１  ポリシー種別テーブル
９０２  ｉｄフィールド
９０３  ｐｏｌｉｃｙフィールド
９０４  ｐｏｌｉｃｙ＿ｊａフィールド
１００１  ポリシーデータスキーマ
１００２  ｅｌｅｍｅｎｔ要素（Ｉｄ）
１００３  ｅｌｅｍｅｎｔ要素（ＰｏｌｉｃｙＫｉｎｄ）
１００４  ｅｌｅｍｅｎｔ要素（ＬｉｃｅｎｓｅＫｉｎｄ）
１００５  ポリシーデータ
１１０１  ポリシーデータ受信部
１１０２  ポリシーデータ格納部
１１０３  メタデータ解析部
１１０４  ブラウザ制御部
１１０５  コンテンツデータ送信部
１２０１  ステップ
１２０２  ステップ
１２０３  ステップ
１２０４  ステップ
１２０５  ステップ
１２０６  ステップ
１２０７  ステップ
１２０８  ステップ
１２０９  ステップ
１３０１  コンテンツアップロードフォーム
１３０２  ワークフロー対象ＵＲＬ入力ボックス
１３０３  コンテンツタイプ選択プルダウンメニュー
１３０４  使用理由入力ボックス
１３０５  端末操作者番号入力ボックス
１３０６  登録ボタン
１３０７  キャンセルボタン
１４０１  コンテンツタイプテーブル
１４０２  ｉｄフィールド
１４０３  ｃｏｎｔｅｎｔ＿ｔｙｐｅフィールド
１４０４  ｃｏｎｔｅｎｔ＿ｔｙｐｅ＿ｊａフィールド
１５０１  コンテンツデータテーブル
１５０２  ｉｄフィールド
１５０３  ｃｏｎｔｅｎｔ＿ｐａｔｈフィールド
１５０４  ｅｍｐ＿ｎｕｍフィールド
１５０５  ｇｅｔ＿ｄａｔｅフィールド
１５０６  ｐｏｌｉｃｙ＿ｉｄフィールド
１５０７  ｃｏｎｔｅｎｔ＿ｔｙｐｅフィールド
１５０８  ｕｓｅ＿ｃｏｕｎｔフィールド
１５０９  ｒｅａｓｏｎフィールド
１５１０  ａｃｃｅｐｔａｔｉｏｎフィールド
１５１１  ｊｕｄｇｅ＿ｒｅａｓｏｎフィールド
１５１２  ｄｅｌ＿ｆｌｇフィールド
１６０１  ＃フィールド
１６０２  端末操作者番号フィールド
１６０３  コンテンツフィールド
１６０４  コンテンツタイプフィールド
１６０５  ステータスフィールド
１６０６  プレビューフィールド
１６０７  ライセンスフィールド
１６０８  使用理由フィールド
１６０９  承認フィールド
１６１０  理由フィールド
１７０１  ステータス履歴部
１８０１  ＃フィールド
１８０２  コンテンツフィールド
１８０３  コンテンツタイプフィールド
１８０４  ライセンスタイプフィールド
１８０５  ステータスフィールド
１８０６  プレビューフィールド
１８０７  ダウンロードフィールド
１８０８  削除フィールド
１９０１  ステータス履歴部
【図１】
2009237840.tif 000003
【図２】
2009237840.tif 000004
【図３】
2009237840.tif 000005
【図４】
2009237840.tif 000006
【図５】
2009237840.tif 000007
【図６】
2009237840.tif 000008
【図７】
2009237840.tif 000009
【図８】
2009237840.tif 000010
【図９】
2009237840.tif 000011
【図１０】
2009237840.tif 000012
【図１１】
2009237840.tif 000013
【図１２】
2009237840.tif 000014
【図１３】
2009237840.tif 000015
【図１４】
2009237840.tif 000016
【図１５】
2009237840.tif 000017
【図１６】
2009237840.tif 000018
【図１７】
2009237840.tif 000019
【図１８】
2009237840.tif 000020
【図１９】
2009237840.tif 000021